(57)【要約】【課題】製造の容易性と美観とを両立させることができる、スパイラル形発光管を備えた蛍光ランプを提供する。【解決手段】蛍光ランプは、電源入力端である口金１が設けられたカバー２と、カバー２に取り付けられたスパイラル形の発光管３とを有している。スパイラル形の発光管３の基端部側にはストレート部３ａが構成されており、ストレート部３ａはカバー２内に収容されている。【選択図】図１
2008210634.tif 000002
【特許請求の範囲】
【請求項１】
電源入力端である口金が設けられたカバーと、該カバーに取り付けられたスパイラル形の発光管とを有する蛍光ランプにおいて、
前記スパイラル形の発光管の基端部側にはストレート部が構成されており、該ストレート部は前記カバー内に収容されていることを特徴とする蛍光ランプ。
【請求項２】
前記発光管内には前記発光管内に電子を放出させるフィラメントが設けられ、前記カバー内には前記発光管を点灯させる点灯回路が設けられており、
前記フィラメントは前記発光管が前記カバーに取り付けられたときに前記カバーの外部に配置される位置に設置されている、請求項１に記載の蛍光ランプ。
【請求項３】
前記カバーには、前記発光管の前記ストレート部を収容する凹部が形成されている、請求項２に記載の蛍光ランプ。
【請求項４】
前記発光管を覆う透明のガラスグローブを備えている、請求項１から３のいずれか１項に記載の蛍光ランプ。
【発明の詳細な説明】
【技術分野】
【０００１】
本発明は、スパイラル形の発光管を備えた蛍光ランプに関する。
【背景技術】
【０００２】
一般に、蛍光ランプは、ガラス管の内面に蛍光体層を形成し、このガラス管内に水銀と希ガスを封入して構成した発光管内で放電を生じさせ、放電により発生する紫外線で蛍光体層を励起して可視光を得るようになっている。
【０００３】
このガラス管タイプの蛍光ランプの形状は、直管形や環形のものが一般的であるが、最近では、小型化や省電力化を図るために、白熱電球用のソケットに直接ねじ込み可能な蛍光ランプが製品化されている。このような従来の蛍光ランプには、発光管として、例えば、直管蛍光ランプを螺旋状に巻いたスパイラル管構造のもの、直管２本を平行させたツイン管構造のもの、直管をＵ字状に屈曲させたＵ字管構造のものなどが使用されている。
【０００４】
図３は、特許文献１に開示された従来の蛍光ランプの一例を示す図である。
【０００５】
図３に示す従来の蛍光ランプは、白熱電球用のソケット（不図示）にねじ込み可能な口金１０１が設けられたカバー１０２と、カバー１０２に取り付けられた発光管１０３とを有している。カバー１０２内には、発光管１０３を点灯させるための点灯回路（不図示）が内蔵されている。
【特許文献１】特開２００５−２７６６９１号公報（図２（ａ））
【発明の開示】
【発明が解決しようとする課題】
【０００６】
図３に示す従来の蛍光ランプにおける発光管１０３は、直管蛍光ランプを螺旋状に巻いたスパイラル（螺旋）形状を有しているが、カバー１０２への取付部分には蛍光ランプの長手方向に延びたストレート部１０３ａが形成されている。ストレート部１０３ａは、発光管１０３の製造工程中の被チャック部や、カバー１０２への取付部として機能する。しかし、最終的な製品においてストレート部１０３ａが露出していると、スパイラル形蛍光ランプとしての美観が損なわれてしまう。
【０００７】
これに対し、図４に示すようにストレート部を有さない発光管１０３’を採用することが考えられ、その場合にはスパイラル形蛍光ランプとしての美観は向上する。しかしながら、そのような発光管１０３’は、製造工程中に被チャック部として機能する部分が無くなるために取り扱いが難しい。さらには、カバー１０２への取付部が無くなるため、発光管１０３’とカバー１０２との取付構造を改良する必要がある。
【０００８】
そこで本発明は、製造の容易性と美観とを両立させることができる、スパイラル形発光管を備えた蛍光ランプを提供することを目的とする。
【課題を解決するための手段】
【０００９】
上記目的を達成するため、本発明の蛍光ランプは、電源入力端である口金が設けられたカバーと、該カバーに取り付けられたスパイラル形の発光管とを有する蛍光ランプにおいて、前記スパイラル形の発光管の基端部側にはストレート部が構成されており、該ストレート部は前記カバー内に収容されていることを特徴とする。
【００１０】
上記本発明の蛍光ランプによれば、スパイラル形の発光管の基端部側にストレート部が構成されているため、そのストレート部を製造工程中の被チャック部として用いたりカバーへの取付部として用いることができる。そのため、本発明の蛍光ランプはストレート部を有さない発光管を用いる場合に比べて製造が容易である。また、本発明の蛍光ランプでは、発光管のストレート部がカバー内に収容されており、発光管のスパイラル形状の部分のみが露出するので、スパイラル形蛍光ランプとしての美観が損なわれることはない。
【００１１】
さらに、前記発光管内には前記発光管内に電子を放出させるフィラメントが設けられ、前記カバー内には前記発光管を点灯させる点灯回路が設けられており、該フィラメントは前記発光管が前記カバーに取り付けられたときに前記カバーの外部に配置される位置に設置されている構成としてもよい。これにより、フィラメントによってカバー内の点灯回路が加熱されることが抑えられ、点灯回路を安定して作動させることが可能になる。
【００１２】
さらには、前記カバーには、前記発光管の前記ストレート部を収容する凹部が形成されていてもよい。これにより、発光管のストレート部をカバー内に収容した状態を維持しつつ、カバーの内部に配置された点灯回路が発光管の内部に設けられたフィラメントの発熱によって受ける影響をより小さくすることができる。
【００１３】
また、本発明の蛍光ランプは、前記発光管を覆う透明のガラスグローブを備えていてもよい。
【発明の効果】
【００１４】
本発明によれば、製造の容易性と美観とを両立させることができる、スパイラル形発光管を備えた蛍光ランプを提供することができる。
【発明を実施するための最良の形態】
【００１５】
次に、本発明の実施形態について図面を参照して説明する。
【００１６】
図１は、本発明の一実施形態に係る蛍光ランプを部分的に破断した状態で示す図である。
【００１７】
図１に示す本実施形態の蛍光ランプも、図３に示した従来の蛍光ランプと同様に、白熱電球用のソケット（不図示）にねじ込み可能な電源入力端である口金１が設けられたカバー２と、カバー２に取り付けられたスパイラル形状の発光管３とを有している。カバー２内には、発光管３を点灯させるための点灯回路６が内蔵されている。
【００１８】
本実施形態における発光管３は、基端部側にストレート部３ａを有している。発光管３のうち、ストレート部３ａの部分はカバー２内に収容されている。したがって、発光管３は、スパイラル形状の部分だけが露出した状態になっている。
【００１９】
また、発光管３内には、発光管３内に電子を放出させるフィラメント４が設けられている。フィラメント４は、発光管３のストレート部３ａの基部から延びたリード線５に接続されており、発光管３がカバー２に取り付けられたときにカバー２の外部に配置される位置に設置されている。
【００２０】
このように、本実施形態の蛍光ランプにおけるスパイラル形状の発光管３は、ストレート部３ａを備えているため、このストレート部３ａを製造工程中に被チャック部として用いたりカバー２への取付部として用いることができる。そのため、ストレート部を有さない発光管を用いる場合に比べて蛍光ランプの製造が容易である。また、本実施形態の蛍光ランプでは発光管３のスパイラル形状の部分のみが露出するので、スパイラル形蛍光ランプとしての美観が損なわれることはない。
【００２１】
また、フィラメント４は発熱するため、フィラメント４がカバー２内に配置された構成であると、同じくカバー２内に配置された点灯回路６を加熱させてしまう。点灯回路６は過度に昇温すると発光管３を安定して点灯させることができなくなるおそれがあるので、フィラメント４によって点灯回路６が加熱されることは好ましくない。これに対し、本実施形態の蛍光ランプでは、フィラメント４はカバー２の外部に配置されているので、フィラメント４によってカバー２内の点灯回路６が加熱されることが抑えられ、点灯回路６を安定して作動させることが可能である。
【００２２】
なお、上記ではスパイラル形状の発光管３が露出したタイプの蛍光ランプ（いわゆる、グローブレスの蛍光ランプ）を例に挙げて説明したが、本発明が適用できるのはこれに限られず、例えば、透明のガラスグローブで発光管３が覆われた構成であってもよい。
【００２３】
図２は、図１に示した蛍光ランプの変形例を部分的に拡大して示す図である。
【００２４】
図２に示す変形例では、発光管３のストレート部３ａを収容する凹部２ａがカバー２に形成されている。図２に示す蛍光ランプのその他の構成は、図１に示した蛍光ランプと同様である。
【００２５】
凹部２ａはカバー２の内部に入り込んだ形状を有しており、カバー２の内部空間と凹部２ａとは凹部２ａを形成するカバー２の壁部材によって隔てられている。したがって、本変形例によれば、発光管３のストレート部３ａをカバー２内に収容した状態を維持しつつ、カバー２の内部に配置された点灯回路６が発光管３の内部に設けられたフィラメント４の発熱によって受ける影響をより小さくすることができる。
【図面の簡単な説明】
【００２６】
【図１】本発明の一実施形態に係る蛍光ランプを部分的に破断した状態で示す図である。
【図２】図１に示した蛍光ランプの変形例を部分的に拡大して示す図である。
【図３】従来の蛍光ランプの一例を示す図である。
【図４】従来の他の蛍光ランプを部分的に破断した状態で示す図である。
【符号の説明】
【００２７】
１    口金
２    カバー
２ａ  凹部
３    発光管
３ａ  ストレート部
４    フィラメント
５    リード線
【図１】
2008210634.tif 000003
【図２】
2008210634.tif 000004
【図３】
2008210634.tif 000005
【図４】
2008210634.tif 000006